(57)【要約】【課題】  簡単な構成で屋根裏への雨水の浸入を防ぐことのできる屋根パラペットの換気構造を提供する。【解決手段】  屋根の周縁端部に設けられたパラペット本体の上部に、ブロック状の複数のスペーサ１４，１５をパラペット本体の長手方向に沿って二列の千鳥状に配置するとともに、一方の列のスペーサ１４と他方の列のスペーサ１５との間に隙間Ｓ３を、各列における隣接するスペーサ１４，１４間およびスペーサ１５，１５間にそれぞれ隙間Ｓ１，Ｓ２を設け、スペーサ１４，１５の上面を含めてパラペット本体上方を、屋根面まで連続して設けられた防水材で覆うことにより、各隙間Ｓ１〜Ｓ３を屋根面下方の屋根裏に連通する換気経路とした。【選択図】        図３
2006090050.tif 000002
【特許請求の範囲】
【請求項１】
屋根の周縁端部に設けられたパラペット本体の上部に、ブロック状の複数のスペーサを前記パラペット本体の長手方向に沿って二列の千鳥状に配置するとともに、一方の列のスペーサと他方の列のスペーサとの間、および各列における隣接するスペーサ間にそれぞれ隙間を設け、
前記スペーサの上面を含めて前記パラペット本体上方を、屋根面まで連続して設けられた防水材で覆うことにより、前記各隙間を前記屋根面下方の屋根裏に連通する換気経路としたことを特徴とする屋根パラペットの換気構造。
【請求項２】
前記パラペット本体には、前記屋根面側と反対側の面に外壁が設けられ、
前記防水材は前記外壁に近い側が下方へ折り曲げられ、その折り曲げ部の先端は前記外壁の上端縁部よりも下方に位置していることを特徴とする請求項１に記載の屋根パラペットの換気構造。
【請求項３】
前記防水材のうち前記パラペット本体上部にある防水材は、笠木で覆われていることを特徴とする請求項１又は２に記載の屋根パラペットの換気構造。
【請求項４】
前記パラペット本体は、該パラペット本体の長手方向に沿って所定の間隔で配置された板状の複数の縦枠と、該各縦枠の上面に水平に載置された板状の１つの上枠とからなり、前記上枠の板幅は前記縦枠の板幅よりも小さいことを特徴とする請求項１に記載の屋根パラペットの換気構造。
【請求項５】
前記一方の列における隣接するスペーサ間の隙間と、前記他方の列における隣接するスペーサ間の隙間は、前記外壁側から見たとき、互いに重なる部分がないよう、前記パラペット本体の長手方向に沿って相対的に位置がずれていることを特徴とする請求項１に記載の屋根パラペットの換気構造。
【発明の詳細な説明】
【技術分野】
【０００１】
本発明は、屋根の周縁端部に設けられるパラペットの換気構造に関する。
【背景技術】
【０００２】
建物には、屋根の周縁端部が上方に向けて突出した屋根パラペットが設けられることがある。一般に、このような屋根パラペットには内部に換気経路が設けられ、この換気経路の一側は建物の外部に、他側は建物の屋根裏にそれぞれ連通している。そして、外気が屋根パラペット内の換気経路を介して屋根裏へ流入するとともに、屋根裏の空気が屋根パラペット内の換気経路を介して建物の外部へ排出されることにより、屋根裏の換気を効率よく行うことができるようになっている（例えば、特許文献１、特許文献２参照）。
【０００３】
また、天井裏の換気構造としては、所定の屋根勾配をもって葺設された屋根瓦のうち、最上部に位置するもの同士の間に屋根裏に通じる隙間を形成し、この隙間を介して屋根裏の換気を行うようにしたものもある（例えば、特許文献３参照）。
【特許文献１】実開平６−４４９０３号公報
【特許文献２】特開２０００−１４５０６４号公報
【特許文献３】特開平９−７８７８１号公報
【発明の開示】
【発明が解決しようとする課題】
【０００４】
しかしながら、上記従来の技術のうち、特許文献１では屋根パラペット内に入った外気が直接屋根裏へ流入する構造であるため、屋根裏内に雨水が浸入しやすいという問題がある。
【０００５】
また、特許文献２では、屋根パラペット上部の笠木の形状を工夫して、屋根パラペット内に入った雨水が直接屋根裏に流れ込まないように構成されているが、この構成では笠木の形状が複雑となって、笠木の加工に手間が掛かるという問題がある。
【０００６】
さらに、特許文献３では、最上部に位置する屋根瓦つまり大棟を介しての換気構造であり、屋根パラペットを介して屋根裏の換気を行うものではない。
【０００７】
本発明の課題は、簡単な構成で屋根裏への雨水の浸入を防ぐことのできる屋根パラペットの換気構造を提供することにある。
【課題を解決するための手段】
【０００８】
上記課題を解決するために、請求項１に記載の発明は、屋根の周縁端部に設けられたパラペット本体の上部に、ブロック状の複数のスペーサを前記パラペット本体の長手方向に沿って二列の千鳥状に配置するとともに、一方の列のスペーサと他方の列のスペーサとの間、および各列における隣接するスペーサ間にそれぞれ隙間を設け、前記スペーサの上面を含めて前記パラペット本体上方を、屋根面まで連続して設けられた防水材で覆うことにより、前記各隙間を前記屋根面下方の屋根裏に連通する換気経路としたことを特徴としている。
【０００９】
上記構成によれば、複数のスペーサが二列の千鳥状に配置されているので、換気経路内に入った外気は流れ方向が強制的に曲げられてから屋根裏に流れるようになり、直接屋根裏に流れ込むことはない。その結果、屋根裏への雨水の浸入を防ぐことができる。
【００１０】
請求項２に記載の発明は、請求項１において、前記パラペット本体には、前記屋根面側と反対側の面に外壁が設けられ、前記防水材は前記外壁に近い側が下方へ折り曲げられ、その折り曲げ部の先端は前記外壁の上端縁部よりも下方に位置していることを特徴としている。このように構成すれば、防水材の折り曲げ先端が外壁の上端縁部よりも下方に位置しているので、雨水が換気経路内に入りにくく、屋根裏への雨水の浸入をより効果的に防ぐことができる。
【００１１】
請求項３に記載の発明は、請求項１又は２において、前記防水材のうち前記パラペット本体上部にある防水材は、笠木で覆われていることを特徴としている。このように構成すれば、笠木で防水材が覆われるため、屋根パラペットの外観を見栄えのよいものにすることができる。
【００１２】
請求項４に記載の発明は、請求項１において、前記パラペット本体は、該パラペット本体の長手方向に沿って所定の間隔で配置された板状の複数の縦枠と、該各縦枠の上面に水平に載置された板状の１つの上枠とからなり、前記上枠の板幅は前記縦枠の板幅よりも小さいことを特徴としている。このように構成すれば、上枠の側面横方に空間（隙間）が形成されるため、この空間を換気経路の一部として利用することができる。
【００１３】
請求項５に記載の発明は、請求項１において、前記一方の列における隣接するスペーサ間の隙間と、前記他方の列における隣接するスペーサ間の隙間は、前記外壁側から見たとき、互いに重なる部分がないよう、前記パラペット本体の長手方向に沿って相対的に位置がずれていることを特徴としている。このように構成すれば、雨水が屋根裏に流れ込むのをより一層効果的に防ぐことができる。
【発明の効果】
【００１４】
本発明によれば、屋根パラペット内の換気経路が折れ曲がった形状となるので、屋根裏への雨水の浸入を簡単な構成で防ぐことが可能となる。
【発明を実施するための最良の形態】
【００１５】
以下、本発明の実施例を図面に従って説明する。
【実施例】
【００１６】
図２は、本発明に係る屋根パラペットが設けられた建物１の一部を示す断面図である。建物１には、側面に外壁２が、上面に屋根３がそれぞれ設けられ、屋根３の周縁部には屋根パラペット４が設置されている。また、建物１はその内部に部屋５が設けられ、この部屋５の天井６と屋根３との間の空間が天井裏７となっている。
【００１７】
天井裏７には複数の屋根下地８が設けられ、この屋根下地８には横方向に沿って隙間Ｇ１が形成されている。また、屋根パラペット４の下方には、水平方向に板状部材９が設けられている。
【００１８】
図１は、図２のＡ部の拡大図である。屋根パラペット４には、図１に示すように、板状部材９（図２参照）の上に固定される縦枠１０と、縦枠１０の上に載置された上枠１１とを備えている。縦枠１０は、図３に示すように、平板状部材で形成され、屋根パラペットの長手方向に沿って所定の間隔を開けて複数個配置されている（図では縦枠１０が２個しか示されていないが、実際には屋根パラペットの長手方向に沿って３個以上配置されている）。上枠１１は１つの平板状部材で形成され、複数個の縦枠１０の上面に水平に載置され、縦枠１０に固定されている。なお、ここでは、各縦枠１０および上枠１１はパラペット本体を構成している。
【００１９】
上枠１１の板幅ｗ１は縦枠１０の板幅ｗ２よりも小さく、縦枠１０の上面に上枠１１を載置すると、上枠１１の両側部と縦枠１０の両側部との間には空間が形成されている。特に、上枠１１の両側部のうち屋根下地８に近い方（図３において上枠１１の右側部）には、縦枠１０の右側部１０Ａとの間に空間Ｓが形成されている。外壁２に近い方（図３において上枠１１の左側部）には縦枠１０の左側部１０Ｂ（図１参照）との間に空間が形成されているが、この部分は角材１２で覆われ、上方からは前記空間は見えないようになっている。角材１２の長さは上枠１１の長さ（長手方向長さ）と同じに設定されている。
【００２０】
上枠１１の上面および左側面には防水紙１３が貼り付けられ、この防水紙１３の先端部は角材１２の下側を通って縦枠１０の右側部１０Ｂ側まで延設されている（図１参照）。上枠１１上の防水紙１３の上には、一側（外壁２に近い側）にブロック状の複数のスペーサ１４が、他側（屋根面３Ａに近い側）にブロック状の複数のスペーサ１５がそれぞれ配列され、これらスペーサ１４，１５は、図４に示すように、上方から見ると二列の千鳥状に配置されている。また、スペーサ１４，１５は、断面形状（中心軸に対して直角な断面の形状）が矩形状をなしている。
【００２１】
外壁２に近い側の列（一方の列）における隣接するスペーサ１４，１４間には隙間Ｓ１が、屋根面３Ａに近い側の列（他方の列）における隣接するスペーサ１５，１５間には隙間Ｓ２がそれぞれ形成されている。そして、これらスペーサ１４，１５を図４の矢印Ｂ方向から見たとき、隙間Ｓ１，Ｓ２が互いに重ならないようスペーサ１４，１５の長さが調整されている。なお、スペーサ１４，１５の高さは互いに同じに形成されている。
【００２２】
また、千鳥状に配置されたスペーサ１４とスペーサ１５との間には隙間Ｓ３が形成され、この隙間Ｓ３は隙間Ｓ１，Ｓ２にそれぞれ連通している。
【００２３】
上枠１１には一側端部（図４の左側）にブロック状のスペーサ１６が設けられている。このスペーサ１６も防水紙１３の上に固定されており、またスペーサ１６の高さはスペーサ１４，１５と同じに設定されている。スペーサ１６はスペーサ１４の端面に密着しているが、スペーサ１５の端面との間には隙間Ｓ２が形成されている。この隙間Ｓ２も隙間Ｓ３に連通している。
【００２４】
外壁２は、図１に示すように、縦枠１０の側面に防水紙１３を介して取り付けられた外壁材固定胴縁１７と、この外壁材固定胴縁１７の外側に設けられた外壁材１８とから構成されている。ここで、外壁材固定胴縁１７の上端縁部は角材１２の上面に一致しているが、外壁材１８の上端縁部は、角材１２の上面よりも高い位置にある上枠１１の上面よりも更に高い所に位置している。
【００２５】
スペーサ１４，１５の上面を含めて屋根パラペット４の上部には、シート状の防水材１９が設けられている。この防水材１９により、上記各隙間Ｓ１〜Ｓ３は上方が覆われ、後述する換気経路を構成している。
【００２６】
防水材１９の上には平板状の固定金具２０が設けられ、この取付金具２０をネジ２１でスペーサ１４，１５に取り付けることにより、防水材１９はスペーサ１４，１５の上面に固定されている。
【００２７】
防水材１９の一側（図の右側）は下方に折り曲げられて垂直部１９Ａを形成し、さらにその垂直部１９Ａの先端は水平に折り曲げられて、屋根３の屋根面３Ａまで連続して設けられている。また、防水材１９の他側（図の左側）も下方に折り曲げられ、その折り曲げ部１９Ｂの下端は外壁材１８の上端縁部よりも低い位置に設定されている。そして、防水材１９の折り曲げ部１９Ｂの下端と角材１２の上面との間には隙間Ｇ５が形成されている
。
【００２８】
また、折り曲げ部１９Ｂとスペーサ１５の側面（外壁２に近い側の側面）との間には隙間Ｇ４が、折り曲げ部１９Ｂと外壁材１８内面との間には隙間Ｇ６がそれぞれ形成されている。さらに、上枠１１の側面（屋根面３Ａに近い側の側面）と防水材１９の垂直部１９Ａとの間には隙間Ｇ２が、上枠１１の上面と防水材１９との間には隙間Ｇ３（この隙間Ｇ３はスペーサ１４，１５の高さに等しい）がそれぞれ形成されている。
【００２９】
取付金具２０には笠木２２が固定されている。すなわち、取付金具２０には両側が斜め下方に折り曲げられた折り曲げ部２０Ａ，２０Ｂが形成され、これら折り曲げ部２０Ａ，２０Ｂに、笠木２２両側に形成された垂れ下がり部２２Ａ，２２Ｂを係合させることにより、笠木２２は取付金具２０に強固に固定されている。そして、外壁材１８の上端縁部と取付金具２０の底面との間には隙間Ｇ７が、笠木２２の垂れ下がり部２２Ｂと外壁材１８外面との間には隙間Ｇ８がそれぞれ形成されている。
【００３０】
本実施例では、屋根裏７の換気を効果的に行い、且つ雨水の屋根裏７への浸入を確実に防ぐために、隙間Ｇ１は７ｍｍ以上、隙間Ｇ２は７ｍｍ以上、隙間Ｇ３は１７〜４４ｍｍ、隙間Ｇ４は７〜２６ｍｍ、隙間Ｇ５は７〜２６ｍｍ、隙間Ｇ６は１７ｍｍ以上、隙間Ｇ７は７〜２６ｍｍ、隙間Ｇ８は７〜１７ｍｍにそれぞれ設定した。さらに、笠木２２の垂れ下がり部２２Ｂと外壁材１８との重ね代Ｌを５５ｍｍ以上に設定した。
【００３１】
また、図４に示すように、スペーサ１４，１５間の隙間Ｓ３を１７〜６０ｍｍに設定し、スペーサ１４の列は９００ｍｍ毎に３０〜２００ｍｍの隙間Ｓ１が、スペーサ１５の列も９００ｍｍ毎に３０〜２００ｍｍの隙間Ｓ２がそれぞれ確保できるようにした。さらに、防水材１９の折り曲げ部１９Ｂの垂れ下がり部の長さは、スペーサ１４，１５の厚み（１７〜４４ｍｍ）以上とした。
【００３２】
次に、本実施例による屋根パラペットの換気構造の作用について説明する。
【００３３】
外気は、笠木２２の垂れ下がり部２２Ｂと外壁材１８外面との間の隙間Ｇ８を通り、さらに外壁材１８の上端縁部と取付金具２０との間の隙間Ｇ７、折り曲げ部１９Ｂと外壁材１８内面との間の隙間Ｇ６、折り曲げ部１９Ｂの下端部と角材１２上面との間の隙間Ｇ５、および折り曲げ部１９Ｂとスペーサ１５側面との間の隙間Ｇ４を通って、上枠１１上方の換気経路内に流入する。
【００３４】
換気経路内には、図３に示すように、隙間Ｓ１を介して流入し、その後、スペーサ１４，１５等により流れ方向が変えられて隙間Ｓ３を通って、隙間Ｓ２から、図１に示すように、上枠１１の側面と防水材１９の垂直部１９Ａとの間の隙間Ｇ２の方へ流れる。なお、この隙間Ｓ１〜Ｓ３を高さ方向で見ると隙間Ｇ３となる。
【００３５】
隙間Ｇ２の方へ流れた外気は隙間Ｇ２を通過後、空間Ｓ（図３参照）を通り、さらに屋根下地８に形成された隙間Ｇ１を通って、建物１の屋根裏７に流入する。
【００３６】
屋根裏７内の空気を建物１の外へ排気する場合は、図１や図３に示した矢印とは逆向きの経路を通って、屋根裏７内の空気が排出される。
【００３７】
本実施例によれば、スペーサ１４，１５が二列の千鳥状に配置されているので、換気経路内に入った外気は流れ方向がスペーサ１４，１５によって強制的に曲げられ、屋根裏７内に直接流れ込むことはない。その結果、屋根裏７への雨水の浸入を容易に防ぐことができる。
【００３８】
また、防水材１９の折り曲げ部１９Ｂの先端が外壁材１８の上端縁部よりも下方に位置しているので、雨水が隙間Ｇ５を介して換気経路内に入りにくく、その結果、屋根裏７への雨水の浸入をより確実に防ぐことができる。
【００３９】
また、防水材１９が笠木２２で覆われるため、屋根パラペット４の外観を見栄えのよいものにすることができる。
【００４０】
さらに、上枠１１の側面横方に空間Ｓが形成されるため、この空間Ｓを換気経路の一部として利用することができる。
【００４１】
以上、図面に従って本発明の実施例を詳述してきたが、具体的な構成は、この実施例に限らず、本発明の要旨を逸脱しない程度の設計的変更は、本発明に含まれる。
【００４２】
すなわち、上記実施例ではスペーサ１４，１５の断面が矩形状であったが、これに限らず、スペーサ１４，１５の断面は台形状でもよい。また、スペーサ１４または１５の側方に、もう一列スペーサを新たに設け（つまりスペーサは三列になる）、この新たに設けたスペーサとスペーサ１４または１５をそれぞれ千鳥状に配置するようにしてもよい。
【図面の簡単な説明】
【００４３】
【図１】本発明に係る屋根パラペットの断面図である。
【図２】図１の屋根パラペットが設けられた建物の一部を示す断面図である。
【図３】本発明に係る屋根パラペットの要部を示す斜視図である。
【図４】図３の上面図である。
【符号の説明】
【００４４】
１  建物
２  外壁
３  屋根
４  屋根パラペット
７  屋根裏
８  屋根下地
１０  縦枠
１１  上枠
１４，１５  スペーサ
１８  外壁材
１９  防水材
１９Ｂ  折り曲げ部
２２  笠木
２２Ｂ  垂れ下がり部
Ｓ１〜Ｓ３  隙間
【図１】
2006090050.tif 000003
【図２】
2006090050.tif 000004
【図３】
2006090050.tif 000005
【図４】
2006090050.tif 000006